(57)【要約】【課題】表示情報を効率よく閲覧できるようにすること。【解決手段】第１のディスプレイ１０に以前に表示されたことのある文書データ（主文書）を再び表示させる場合に、その主文書が第１のディスプレイ１０から消されたときに第２のディスプレイ１１に表示されていた文書データ（副文書）を当該第２のディスプレイ１１に表示させるようにした。そのため、第１のディスプレイ１０に文書データ（主文書）を表示させることで、以前に主文書の閲覧時に参照していた副文書を自動的に第２のディスプレイ１１に表示させることができる。その結果、ページ捲り、ページジャンプ等により、主文書を変更した場合に、副文書を自動的に変更させることができ、その結果、表示情報を効率よく閲覧することができる。【選択図】図２
2007140015.tif 000002
【特許請求の範囲】
【請求項１】
一又は複数の表示装置に設けられた複数の表示領域それぞれに異なる情報を表示させる表示制御装置であって、
一の表示領域に以前に表示させたことのある主情報を再び表示させる場合に、その主情報を表示させていたときに他の表示領域に表示させていた副情報を当該他の表示領域に表示させる表示制御手段を備えたことを特徴とする表示制御装置。
【請求項２】
前記表示制御手段は、前記主情報が前記一の表示領域から最後に消されたときに他の表示領域に表示させていた副情報を当該他の表示領域に表示させることを特徴とする請求項１に記載の表示制御装置。
【請求項３】
前記表示制御手段は、前記一の表示領域から主情報が最後に消されたときに前記他の表示領域に表示されていた副情報と当該主情報とを対応づける対応づけ手段と、前記一の表示領域に前記主情報を再び表示させる場合に前記主情報に対応づけられた副情報を前記他の表示領域に表示させる表示制御実行手段と、を備えたことを特徴とする請求項２に記載の表示制御装置。
【請求項４】
前記対応づけ手段は、前記一の表示領域に主情報を表示させているときに前記他の表示領域に表示させた副情報を当該主情報に順次対応づけることを特徴とする請求項２に記載の表示制御装置。
【請求項５】
前記副情報を表示させている前記他の表示領域を前記一の表示領域に再設定することで、当該他の表示領域に表示されている副情報が前記主情報として扱われるようにする主・副切換手段を備えたことを特徴とする請求項１から４のいずれか１項に記載の表示制御装置。
【発明の詳細な説明】
【技術分野】
【０００１】
本発明は、一又は複数の表示装置に設けられた複数の表示領域それぞれに異なる情報を表示させる表示制御装置に関する。
【背景技術】
【０００２】
従来、例えば、複数ページからなる文書データの各ページそれぞれをディスプレイに切り換え表示してユーザに閲覧させる情報表示装置が知られている。
このような情報表示装置にあっては、一般に、表示ページのページ番号、表示サイズ、表示位置等の表示情報を電源切断時に不揮発性メモリに格納しておき、電源の再投入時に、その格納しておいた表示情報に基づいて、電源切断前の表示状態を復元することで、表示状態の復元の手間を軽減するようになっている（特許文献１参照）。
【特許文献１】特開２００２−９１４１７号公報
【発明の開示】
【発明が解決しようとする課題】
【０００３】
ところで、上記従来の情報表示装置にあっては、例えば、２つのディスプレイを備え、一方のディスプレイに論文の文書データを表示し、他方のディスプレイに参考文献の文書データを表示することで、参考文献を参照しつつ論文を閲覧させることが考えられる。
しかしながら、このような情報表示装置にあっては、例えば、ページ捲り、ページジャンプ等により、前記一方のディスプレイに表示されている論文の表示ページを変更した場合には、前記他方のディスプレイに表示されている参考文献の表示ページも手動で変更しなければならず、その結果、表示情報の閲覧に手間がかかるという問題点があった。
【０００４】
本発明は、上記従来の技術の未解決の課題を解決することを目的とするものであって、表示情報を効率よく閲覧することができる表示制御装置を提供することを課題とする。
【課題を解決するための手段】
【０００５】
上記課題を解決するために、本発明の表示制御装置は、一又は複数の表示装置に設けられた複数の表示領域それぞれに異なる情報を表示させる表示制御装置であって、一の表示領域に以前に表示させたことのある主情報を再び表示させる場合に、その主情報を表示させていたときに他の表示領域に表示させていた副情報を当該他の表示領域に表示させる表示制御手段を備えたことを特徴とする。
【０００６】
また、前記表示制御手段は、前記主情報が前記一の表示領域から最後に消されたときに他の表示領域に表示させていた副情報を当該他の表示領域に表示させてもよい。
さらに、前記表示制御手段は、前記一の表示領域から主情報が最後に消されたときに前記他の表示領域に表示されていた副情報と当該主情報とを対応づける対応づけ手段と、前記一の表示領域に前記主情報を再び表示させる場合に前記主情報に対応づけられた副情報を前記他の表示領域に表示させる表示制御実行手段と、を備えるようにしてもよい。
【０００７】
また、前記対応づけ手段は、前記一の表示領域に主情報を表示させているときに前記他の表示領域に表示させた副情報を当該主情報に順次対応づけるようにしてもよい。
さらに、前記副情報を表示させている前記他の表示領域を前記一の表示領域に再設定することで、当該他の表示領域に表示されている副情報が前記主情報として扱われるようにする主・副切換手段を備えるようにしてもよい。
【０００８】
このような構成によれば、一の表示領域に主情報を表示させることで、以前に主情報の閲覧時に参照していた副情報を自動的に他の表示領域に表示させることができる。そのため、ページ捲り、ページジャンプ等により、主情報を変更した場合に、副情報を自動的に変更させることができ、その結果、表示情報を効率よく閲覧することができる。
【発明を実施するための最良の形態】
【０００９】
以下、本発明の表示制御装置を適用した情報表示装置の一実施形態を、図面に基づいて説明する。
すなわち、この情報表示装置は、第１及び第２のディスプレイを備え、第１のディスプレイに以前に表示させたことのある文書データ（主文書）を再び表示させる場合に、その主文書のページそれぞれが前記第１のディスプレイから最後に消されたときに第２のディスプレイに表示させていた文書データ（前記主文書の閲覧時に第２のディスプレイに表示させて参照していた文書データ、副文書）を当該第２のディスプレイに表示させるようになっている。
【００１０】
＜表示制御装置の構成＞
図１は、本実施形態の表示制御装置の外観を示す概略構成図であり、図２は、本実施形態の表示制御装置の内部構成を示すブロック図である。図１及び図２に示すように、情報表示装置１は、文書選択操作部２、ページ選択操作部３、メモリ部４、文書データ読み込み部５、複数表示状態データ読み書き部６、文書表示制御部７、画像処理部８、ディスプレイ制御部９、第１及び第２のディスプレイ１０、１１を含んで構成される。
【００１１】
文書選択操作部２は、第１のディスプレイ１０に表示させる文書データ（主文書）及び第２のディスプレイ１１に表示させる文書データ（副文書）の選択を行うためのボタン（カーソル移動ボタン、ＯＫボタン、ＣＡＮＣＥＬボタン）であり、その選択された主文書又は副文書の表示を指示する指令を文書表示制御部７に出力する。
文書データは、ページ単位で区切られたデータ群からなり、ＨＴＭＬ、ＸＨＴＭＬ、ＸＭＬ等の構造化文書データ、ＴＩＦＦ、ＪＰＥＧ等のビットマップ画像データ、ＰＤＦ、ＰｏｓｔＳｃｒｉｐｔ等のページ記述言語データ、及びＭｉｃｒｏｓｏｆｔ  ＷＯＲＤ（商標）、ＰｏｗｅｒＰｏｉｎｔ（商標）等のメーカ独自データ等で構成される。
【００１２】
ページ選択操作部３は、第１及び第２のディスプレイ１０、１１それぞれに対応して設けられ、対応するディスプレイ１０、１１に表示されている文書データのページの変更を行うためのボタン（ページ送りボタン、ページ戻しボタン）であり、その変更させるページの表示を指示する指令を文書表示制御部７に出力する。
メモリ部４は、不揮発性メモリ及び揮発性メモリの組み合わせで構成され、不揮発性メモリには永続的なデータが格納され、揮発性メモリには一時的なデータが格納される。
【００１３】
不揮発性メモリとしては、フラッシュメモリ、ハードディスク、電源バックアップされた揮発性メモリ等、電源を切断しても記憶内容が保持されるメモリ等が挙げられる。
揮発性メモリとしては、ＤＲＡＭやＳＲＡＭ等、電源を切断すると記憶内容が失われるメモリが挙げられる。揮発性メモリは、一般に、データアクセス速度が速く、データの書き換えによる記憶デバイスの劣化が少ない（耐久性が高い）という特徴がある。
【００１４】
そして、メモリ部４は、複数の文書データ、及び各文書データそれぞれに対応する複数の複数表示状態データ（表示状態を設定するためのデータ）を格納する。
複数表示状態データは、図３（ａ）に示すように、主文書識別子、主文書表示ページ番号、及び複数の表示ページ対応データを含んで構成される。
主文書識別子は、複数表示状態データが対応する文書データ（主文書）を示す識別子であり、複数表示状態データをテーブル構造に構成するキーとなっている。なお、主文書識別子は、例えば、メモリ部４に適用されるファイルシステム上のデータを指し示すファイルパス、文書データに付与されるＵＵＩＤ（Universally unique identifier）、及び文書データから計算されるＭＤ５符号等で表される。
【００１５】
主文書表示ページ番号は、主文書識別子が示す文書データ（主文書）が第１のディスプレイ１０から消されたときに表示されていたページを示すデータである。
表示ページ対応データは、図３（ｂ）に示すように、主文書ページ番号１、主文書ページ番号２、副文書識別子、及び副文書ページ番号を含んで構成される。
主文書ページ番号１及び主文書ページ番号２は、それぞれ主文書識別子が示す文書データ（主文書）の特定ページ範囲（同じ副文書及びページが対応づけられているページ範囲）の開始ページを示すデータ及び終了ページを示すデータである。
【００１６】
副文書識別子は、主文書ページ番号１及び主文書ページ番号２で特定される特定ページ範囲内のページが第１のディスプレイ１０から消されたときに第２のディスプレイ１１に表示されていた文書データ（副文書）を示すデータである。
副文書ページ番号は、主文書ページ番号１及び主文書ページ番号２で特定される特定ページ範囲内のページが第１のディスプレイ１０から消されたときに第２のディスプレイ１１に表示されていたページを示すデータである。
【００１７】
文書データ読み込み部５は、メモリ部４と文書表示制御部７との間で文書データの授受をとりもつインタフェースである。
複数表示状態データ読み書き部６は、メモリ部４と文書表示制御部７との間で複数表示状態データの授受をとりもつインタフェースである。
文書表示制御部７は、文書選択操作部２及びページ選択操作部３から出力される指令に従って、各種処理を実行して、情報表示装置１の各部を制御する。
【００１８】
＜主文書選択処理＞
具体的には、文書表示制御部７は、文書選択操作部２から主文書の選択を指示する指令が出力されると、主文書選択処理を実行する。そして、文書制御部１１５は、まず、その指令が指示する主文書（文書データ）に対応する複数表示状態データを複数表示状態データ読み書き部６を介してメモリ部４から読み込み、その読み込まれた複数表示状態データから主文書識別子及び主文書表示ページ番号を抽出する。
【００１９】
また、文書表示制御部７は、その抽出された主文書識別子が示す文書データ（主文書）を文書データ読み込み部５を介してメモリ部４から読み込み、その読み込まれた文書データに基づき前記主文書表示ページ番号が示すページを画像化して第１のディスプレイ１０に表示させる画像化指令を画像処理部８に出力する。
さらに、文書表示制御部７は、前記読み込まれた複数表示状態データから、前記主文書ページ番号が示すページを主文書ページ番号１及び主文書ページ番号２で特定される特定ページ範囲に含む表示ページ対応データを抽出する。
【００２０】
また、文書表示制御部７は、その抽出された表示ページ対応データ（副文書識別子及び副文書ページ番号）に基づいて、副文書識別子が示す文書データ（副文書）を文書データ読み込み部５を介してメモリ部４から読み込む。また、文書表示制御部７は、その文書データに基づき前記副文書ページ番号が示すページを画像化して第２のディスプレイ１１に表示させる画像化指令を画像処理部８に出力してから、この演算処理を終了する。
【００２１】
なお、文書表示制御部７は、前記指令が指示する主文書（文書データ）に対応する複数表示状態データ（表示ページ対応データ）がメモリ部４から読み出せない場合（メモリ部４に格納されていない場合）には、その文書データ（主文書）を文書データ読み込み部５を介してメモリ部４から読み込み、その読み込まれた文書データに基づき当該文書データの開始ページを画像化して第１のディスプレイ１０に表示させる画像化指令を画像処理部８に出力してから、この演算処理を終了する。
【００２２】
また、文書表示制御部７は、前記複数表示状態データがメモリ部４から読み出せない場合には（メモリ部４に格納されていない場合には）、第１のディスプレイ１０に表示された文書データを示すデータを主文書識別子として複数表示状態データを生成し、その生成された複数表示状態データをメモリ部４の揮発性メモリに格納する。
さらに、文書表示制御部７は、画像化指令の出力時に、前記主文書ページ番号が示すページを主文書ページ番号１及び主文書ページ番号２で特定される特定ページ範囲に含む表示ページ対応データがメモリ部４に格納されておらず、第２のディスプレイ１１に文書データ（副文書）が表示されていた場合には、第２のディスプレイ１１に表示されている文書データを示すデータを副文書識別子とし、当該文書データの表示ページを示すデータを副文書ページ番号とし、第１のディスプレイ１０に表示された文書データのページ番号を主文書ページ番号１及び主文書ページ番号２として表示ページ対応データを生成し、その表示ページ対応データを、第１のディスプレイ１０に表示された文書データ（主文書）に対応する複数表示状態データに対応づけてメモリ部４の揮発性メモリに格納する。
【００２３】
＜副文書選択処理＞
文書表示制御部７は、文書選択操作部２から副文書の表示を選択する指令が出力されると、副文書選択処理を実行する。そして、文書表示制御部７は、まず、その指令が指示する副文書（文書データ）を文書データ読み込み部５を介してメモリ部４から読み込み、その読み込まれた文書データに基づき当該文書データの開始ページを画像化して第２のディスプレイ１１に表示させる画像化指令を画像処理部８に出力する。
【００２４】
また、文書表示制御部７は、第２のディスプレイ１１に表示された文書データ（副文書）を示すデータを副文書識別子とし、当該文書データの表示ページを副文書ページ番号とし、第１のディスプレイ１０に表示されている文書データ（主文書）のページ番号を主文書ページ番号１及び主文書ページ番号２として表示対応データを生成し、その表示対応データを、第１のディスプレイ１０に表示されている文書データに対応する複数表示状態データに対応づけてメモリ部４の揮発性メモリに格納してから、この演算処理を終了する。
【００２５】
＜主文書ページ変更処理＞
文書表示制御部７は、ページ選択操作部３から主文書の表示ページの変更を指示する指令が出力されると、主文書ページ変更処理を実行する。そして、文書表示制御部７は、まず、その指令が指示するページを、既に読み込まれている文書データ（第１のディスプレイ１０に現在表示されている文書データ、主文書）に基づき画像化して第１のディスプレイ１０に表示させる画像化指令を画像処理部８に出力する。
【００２６】
また、文書表示制御部７は、既に読み込まれている複数表示状態データ（第１のディスプレイ１０に現在表示されている文書データに対応する複数表示状態データ）から、前記変更が指示されているページを主文書ページ番号１及び主文書ページ番号２で特定される特定ページ範囲に含む表示ページ対応データを抽出する。
さらに、文書表示制御部７は、その抽出された表示ページ対応データ（副文書識別子及び副文書ページ番号）に基づいて、副文書識別子が示す文書データ（副文書）が第２のディスプレイ１１に現在表示されている副文書と異なるか否かを判定する。それらが異なる場合には、前記文書データ（副文書）を文書データ読み込み部５を介してメモリ部４から当該副文書データを読み込み、その読み込まれた文書データに基づき前記副文書ページ番号が示すページを画像化して第２のディスプレイ１１に表示させる画像化指令を画像処理部８に出力してから、この演算処理を終了する。
【００２７】
一方、前記副文書識別子が示す文書データ（副文書）が第２のディスプレイ１１に現在表示されている副文書と同じものである場合には、前記副文書ページ番号が第２のディスプレイ１１に表示されているページと異なるか否かを判定する。異なる場合には、既に読み込まれている文書データ（第２のディスプレイ１１に現在表示されている文書データ、副文書）に基づき前記副文書ページ番号が示すページを画像化して第２のディスプレイ１１に表示させる画像化指令を画像処理部８に出力する。
【００２８】
なお、文書表示制御部７は、前記指令が指示する主文書（文書データ）のページを主文書ページ番号１及び主文書ページ番号２で特定されるページ範囲に含む表示ページ対応データを複数表示状態データから抽出できなかった場合には、第２のディスプレイ１１に現在表示されている文書データ（副文書）の表示ページを画像化して第２のディスプレイ１１に表示させる画像化指令を画像処理部８に出力する。
【００２９】
また、文書表示制御部７は、前記表示ページ対応データを抽出できず、第２のディスプレイ１１に文書データ（副文書）が表示されている場合には、第２のディスプレイ１１に表示されている文書データを示すデータを副文書識別子とし、当該文書データの表示ページを副文書ページ番号とし、第１のディスプレイ１０に表示された文書データのページ番号を主文書ページ番号１及び主文書ページ番号２として表示ページ対応データを生成し、その表示ページ対応データを、第１のディスプレイ１０に表示された文書データに対応する複数表示状態データに対応づけてメモリ部４の揮発性メモリに格納する。
【００３０】
＜副文書ページ変更処理＞
文書表示制御部７は、ページ選択操作部３から副文書の表示ページの変更を指示する指令が出力されると、副文書ページ変更処理を実行する。そして、文書表示制御部７は、まず、その指令が指示するページを、既に読み込まれている文書データ（第２のディスプレイ１１に現在表示されている文書データ、副文書）に基づき画像化して第２のディスプレイ１１に表示させる画像化指令を画像処理部８に出力する。
【００３１】
また、文書表示制御部７は、第２のディスプレイ１１に表示された文書データを示すデータを副文書識別子とし、当該文書データの表示ページを副文書ページ番号とし、第１のディスプレイ１０に表示されている文書データ（主文書）のページ番号を主文書ページ番号１及び主文書ページ番号２として表示ページ対応データを生成し、その生成された表示ページ対応データを、第１のディスプレイ１０に表示されている文書データ（主文書）に対応する複数表示状態データに対応づけてメモリ部４の揮発性メモリに格納してから、この演算処理を終了する。
【００３２】
また、文書表示制御部７は、文書データ（主文書）が選択されるたび或いは一定時間が経過するたびに、メモリ部４の揮発性メモリに格納されている複数表示状態データを不揮発性メモリへコピーして、複数表示状態データを永続的に記録する。
画像処理部８は、文書表示制御部７から画像化指令が出力されると、その画像化指令に応じた文書データの特定ページをディスプレイ１０、１１の特性（解像度、色数等）に応じて画像データに変換し、その画像データを前記指令に応じたディスプレイ１０或いは１１に表示させる表示指令をディスプレイ制御部９に出力する。
【００３３】
ディスプレイ制御部９は、画像処理部８から表示指令が出力されると、その表示指令に応じた画像データをディスプレイ１０或いは１１に描画する。
第１及び第２のディスプレイ１０、１１は、ディスプレイ制御部９によって制御され、文書データ（主文書、副文書）の特定ページを表示する。
【００３４】
＜表示制御装置の具体的動作＞
次に、本実施形態の情報表示装置１の動作を具体的状況に基づいて詳細に説明する。
まず、ユーザが所望の文書データ（第１のディスプレイ１０に表示したことのない主文書、対応する複数表示状態データがない主文書）を第１のディスプレイ１０に表示させる操作を文書選択部２で行ったとする。すると、文書選択操作部２によって、前記主文書を第１のディスプレイ１０に表示させる指令が文書制御部７に出力される。
【００３５】
そして、文書制御部７によって、主文書選択処理が実行され、前記指令が指示する主文書（文書データ）が文書データ読み込み部５を介してメモリ部４から読み込まれ、その文書データに基づいて画像化指令が画像処理部８に出力される。また、画像処理部８によって、その画像化指令が指示する文書データの開始ページが画像データに変換され、その変換結果に応じた表示指令がディスプレイ制御部９に出力され、ディスプレイ制御部９によって、その表示指令に応じた画像データが第１のディスプレイ１０に描画される（文書データ（主文書）の開始ページが第１のディスプレイ１０に表示される）。
【００３６】
また、文書制御部７によって、第１のディスプレイ１０に表示された文書データを示すデータを主文書識別子として複数表示状態データが生成され、その生成された複数表示状態データがメモリ部４の揮発性メモリに格納される。
次いで、ユーザが前記主文書の閲覧時に参照する副文書を第２のディスプレイ１１に表示させる操作を文書選択部２で行ったとする。すると、文書選択操作部２によって、前記副文書の表示を指示する指令が文書制御部７に出力される。
【００３７】
そして、文書制御部７によって、副文書選択処理が実行され、前記指令が指示する副文書（文書データ）が文書データ読み込み部５を介してメモリ部４から読み込まれ、その文書データに基づいて画像化指令が画像処理部８に出力される。また、画像処理部８によって、その画像化指令が指示する文書データの開始ページが画像データに変換され、その変換結果に応じた表示指令がディスプレイ制御部９に出力され、ディスプレイ制御部９によって、その表示指令に応じた画像データが第２のディスプレイ１１に描画される（文書データ（副文書）の開始ページが第２のディスプレイ１１に表示される）。
【００３８】
また、文書表示制御部７によって、第２のディスプレイ１１に表示された文書データ（副文書）を示すデータを副文書識別子とし、当該文書データの表示ページを副文書ページ番号とし、第１のディスプレイ１０に表示されている文書データ（主文書）のページ番号を主文書ページ番号１及び主文書ページ番号２として複数表示状態データが生成され、その複数表示体データが、第１のディスプレイ１０に表示されている文書データに対応する複数表示状態データに対応づけてメモリ部４の揮発性メモリに格納される。
【００３９】
次いで、副文書の参照ページ（主文書の閲覧時に参照するページ）を第２のディスプレイ１１に表示させる操作をページ選択操作部３で行ったとする。すると、ページ選択操作部３によって、前記参照ページの表示を指示する指令が文書制御部７に出力される。
そして、文書制御部７によって、副文書ページ変更処理が実行され、前記指令が指示するページが、既に読み込まれている文書データ（第２のディスプレイ１１に現在表示されている文書データ、副文書）に基づいて画像化指令が画像処理部８に出力される。また、画像処理部８によって、その画像化指令が指示するページが画像データに変換され、その変換結果に応じた表示指令がディスプレイ制御部９に出力され、ディスプレイ制御部９によって、その表示指令に応じた画像データが第２のディスプレイ１１に描画される（文書データ（副文書）の前記参照ページが第２のディスプレイ１１に表示される）。
【００４０】
また、文書表示制御部７によって、第２のディスプレイ１１に表示されている文書データを示すデータを副文書識別子とし、当該文書データの表示ページを副文書ページ番号とし、第１のディスプレイ１０に表示されている文書データのページ番号を主文書ページ番号１及び主文書ページ番号２として表示ページ対応データが生成され、その表示ページ対応データが、第１のディスプレイ１０に表示されている文書データ（主文書）に対応する複数表示状態データに対応づけてメモリ部４の揮発性メモリに格納される。
【００４１】
次いで、主文書の開始ページを読み終え、開始ページの次ページを第１のディスプレイ１０に表示させる操作をページ選択操作部３で行ったとする。すると、ページ選択操作部３によって、前記ページの表示を指示する指令が文書制御部７に出力される。
そして、ページ選択操作部３によって、主文書ページ変更処理が実行され、前記指令が指示するページが、既に読み込まれている文書データ（第１のディスプレイ１０に現在表示されている文書データ）に基づいて画像化指令が画像処理部８に出力される。また、画像処理部８によって、その画像化指令が指示するページが画像データに変換され、その変換結果に応じた表示指令がディスプレイ制御部９に出力され、ディスプレイ制御部９によって、その表示指令に応じた画像データが第１のディスプレイ１０に描画される（文書データ（主文書）の前記次ページが第１のディスプレイ１０に表示される）。
【００４２】
また、文書表示制御部７によって、第２のディスプレイ１１に表示されている文書データを示すデータを副文書識別子とし、当該文書データの表示ページを示すデータを副文書ページ番号とし、第１のディスプレイ１０に表示された文書データのページ番号を主文書ページ番号１及び主文書ページ番号２として表示ページ対応データが生成され、その表示ページ対応データが、第１のディスプレイ１０に表示されている文書データ（主文書）に対応する複数表示状態データに対応づけてメモリ部４の揮発性メモリに格納される。
【００４３】
次いで、上記フローを繰り返し、副文書を参照しつつ主文書を読み進んでいくうちに、当該主文書の閲覧を中断し、第１のディスプレイ１０の表示内容を消去し、その後前記主文書の閲覧を再開するために、ユーザが前記主文書を第１のディスプレイ１０に表示させる操作を文書選択部２で行ったとする。すると、文書選択操作部２によって、前記主文書を第１のディスプレイ１０に表示させる指令が文書制御部７に出力される。
【００４４】
そして、文書制御部７によって、主文書選択処理が実行され、前記指令が指示する主文書（文書データ）に対応する複数表示状態データが複数表示状態データ読み書き部６を介してメモリ部４から読み込まれ、その読み込まれた複数表示状態データから主文書識別子及び主文書表示ページ番号が抽出される。また、その抽出された主文書識別子が示す文書データ（主文書）が文書データ読み込み部５を介してメモリ部４から読み込まれ、その読み込まれた文書データに基づいて画像化指令が画像処理部８に出力される。さらに、画像処理部８によって、その読み込まれた文書データに基づき前記主文書表示ページ番号が示すページが画像データに変換され、その変換結果に応じた表示指令がディスプレイ制御部９に出力され、ディスプレイ制御部９によって、その表示指令に応じた画像データが第１のディスプレイ１０に描画される（前記主文書が第１のディスプレイ１０から消されたときに表示されていたページが第１のディスプレイ１０に表示される）。
【００４５】
さらに、文書表示制御部７によって、前記読み込まれた複数表示状態データから、前記主文書ページ番号が示すページを主文書ページ番号１及び主文書ページ番号２で特定される特定ページ範囲に含む表示ページ対応データが抽出される。また、その抽出された表示ページ対応データ（副文書識別子及び副文書ページ番号）に基づいて、副文書識別子が示す文書データ（副文書）が文書データ読み込み部５を介してメモリ部４から読み込まれる。また、その読み込まれた文書データに基づき前記副文書ページ番号が示すページが画像データに変換され、その変換結果に応じて表示指令がディスプレイ制御部９に出力され、ディスプレイ制御部９によって、その表示指令に応じた画像データが第２のディスプレイ１１に描画される（前記主文書が第１のディスプレイ１から消されたときに表示されていたページ（副文書）が第２のディスプレイ１１に表示される）。
【００４６】
次いで、上記フローを再び繰り返し、副文書を参照しつつ主文書を読み進んでいくうちに、主文書の特定ページを読み直すために、その特定ページを第１のディスプレイ１０に表示させる操作をページ選択操作部３で行ったとする。すると、ページ選択操作部３によって、前記特定ページの表示を指示する指令が文書制御部７に出力される。
そして、ページ選択操作部３によって、主文書ページ変更処理が実行され、前記指令が指示するページが、既に読み込まれている文書データ（第１のディスプレイ１０に現在表示されている文書データ）に基づいて画像化指令が画像処理部８に出力される。また、画像処理部８によって、その画像化指令が指示する特定ページが画像データに変換され、その変換結果に応じた表示指令がディスプレイ制御部９に出力され、ディスプレイ制御部９によって、その表示指令に応じた画像データが第１のディスプレイ１０に描画される（文書データ（主文書）の前記特定ページが第１のディスプレイ１０に表示される）。
【００４７】
また、既に読み込まれている複数表示状態データ（第１のディスプレイ１０に現在表示されている文書データに対応する複数表示状態データ）から、前記変更されたページを主文書ページ番号１及び主文書ページ番号２で特定される特定ページ範囲に含む表示ページ対応データが抽出される。ここで、抽出された表示ページ対応データの副文書識別子が示す文書データ（副文書）が第２のディスプレイ１１に現在表示されている副文書を示し、且つ、副文書ページ番号が現在の表示ページと異なるとすると、既に読み込まれている文書データ（第２のディスプレイ１１に現在表示されている文書データ、副文書）に基づき前記副文書ページ番号が示すページが画像データに変換され、その変換結果に応じて表示指令がディスプレイ制御部９に出力され、ディスプレイ制御部９によって、画像データが第２のディスプレイ１１に描画される（前記特定ページが第１のディスプレイ１から消されたときに表示されていたページが第２のディスプレイ１１に表示される）。
【００４８】
このように、本実施形態の情報表示装置１にあっては、第１のディスプレイ１０に以前に表示されたことのある文書データ（主文書）を再び表示させる場合に、その主文書が第１のディスプレイ１０から消されたときに第２のディスプレイ１１に表示されていた文書データ（副文書）を当該第２のディスプレイ１１に表示するようにした。そのため、第１のディスプレイ１０に文書データ（主文書）を表示させることで、以前に主文書の閲覧時に参照していた副文書を自動的に第２のディスプレイ１１に表示させることができる。その結果、ページ捲り、ページジャンプ等により、主文書を変更した場合に、副文書を自動的に変更させることができ、その結果、表示情報を効率よく閲覧することができる。
【００４９】
なお、本実施形態では、１つの装置内にある２つのディスプレイに主情報及び副情報を表示する例を示したが、これに限られるものではない。例えば、１つのディスプレイを有する複数の情報表示装置を用い、それぞれに主情報及び副情報を表示してもよい。
以上、上記実施形態では、図２の文書表示制御部７、画像処理部８、及びディスプレイ制御部９が特許請求の範囲に記載の表示制御手段及び表示制御実行手段を構成し、図２の文書表示制御部７が特許請求の範囲に記載の対応づけ手段を構成する。
【００５０】
なお、本発明の表示制御装置は、上記実施の形態の内容に限定されるものではなく、本発明の趣旨を逸脱しない範囲で適宜変更可能である。
上記実施形態では、２つのディスプレイ１０、１１を用い、それぞれに主情報及び副情報を表示する例を示したが、これに限られるものではない。例えば、表示面が複数の領域に区切られたディスプレイを１つ用い、一の領域に主文書を表示し、他の領域に副文書を表示するようにしてもよいし、ディスプレイを３つ以上用い、一のディスプレイに主文書を表示し、他のディスプレイに副文書を表示するようにしてもよい。
【００５１】
また、第１のディスプレイ１０を主情報の表示に用いられるディスプレイとし、第２のディスプレイ１１を副情報の表示に用いられるディスプレイとする例を示したが、これに限られるものではない。例えば、第２のディスプレイ１１を主情報の表示に用いられるディスプレイとすることで、副表示情報を主情報として扱えるように構成してもよい。
具体的には、図４及び図５に示すように、第１及び第２のディスプレイ１０、１１それぞれに対応して設けられ、対応するディスプレイ１０、１１を主情報の表示に用いられるディスプレイに再設定するためのボタン（ディスプレイ１０、１１に表示されている文書データ（副文書）を主文書として扱わせるためのボタン）であり、副文書を主文書として扱うことを指示する指令を文書表示制御部７に出力する主・副切替操作部１２を備える。
【００５２】
そして、文書表示制御部７では、主・副切替操作部１２から第１或いは第２のディスプレイ１０、１１に表示されている文書データを主文書として扱うことを指示する指令が出力されると、まず、その指令が指示する主文書（文書データ）に対応する複数表示状態データを複数表示状態データ読み書き部６を介してメモリ部４から読み込み、その読み込まれた複数表示状態データから主文書識別子及び主文書表示ページ番号を抽出する。
【００５３】
また、文書表示制御部７では、前記読み込まれた複数表示状態データから、前記主文書識別子及び前記主文書ページ番号が示すページを主文書ページ番号１及び主文書ページ番号２で特定される特定ページ範囲に含む表示ページ対応データを抽出する。
さらに、文書表示制御部７では、その抽出された表示ページ対応データ（副文書識別子及び副文書ページ番号）に基づいて、副文書識別子が示す文書データ（副文書）を文書データ読み込み部５を介してメモリ部４から読み込む。また、文書表示制御部７は、その読み込まれた文書データに基づき前記副文書ページ番号が示すページを画像化して第１のディスプレイ１０に表示させる画像化指令を画像処理部８に出力する。
【００５４】
このような構成とすれば、例えば、副文書を参照しつつ主文書を読み進んでいるときに、第２のディスプレイ１１に表示されている副文書（文書データ）の内容の検討が必要となった場合、第２のディスプレイ１１に表示されている文書データを主文書として扱う指示をすることで、第１のディスプレイ１０に当該文書データの副文書を自動的に表示させることができ、その結果、表示情報をより効率よく閲覧することができる。
【００５５】
なお、本実施例では、複数表示状態データのデータ構造と管理方法の一例を示したが、これに限られるものではない。例えば、主文書データ及びそれぞれの表示ページと、副文書データ及びそれぞれの表示ページとの対応関係を格納し、最新情報に更新する手段として、１：１に対応付けるデータ構造にしてもよい。
また、文書データ及び複数表示状態データをメモリ部４に格納する例を示したが、これに限られるものではない。例えば、情報表示装置１に通信装置を介して接続される外部機器（例えば、外部記憶装置、外部ネットワーク）に格納するようにしてもよい。
【００５６】
さらに、第１のディスプレイ１０から主文書が消されたときに第２のディスプレイ１０に表示されていた副文書を当該第２のディスプレイ１１に表示する例を示したが、これに限られるものではない。例えば、前記主文書が表示されていたときに第２のディスプレイ１１に表示されていた副文書のうち、表示時間が最も長いものを表示してもよい。
【図面の簡単な説明】
【００５７】
【図１】本発明を適用した情報表示装置の外観を示す概略構成図である。
【図２】本発明を適用した情報表示装置の内部構成を示すブロック図である。
【図３】複数表示状態データのデータ構成を説明するための説明図である。
【図４】情報表示装置の変形例を説明するための説明図である。
【図５】情報表示装置の変形例を説明するための説明図である。
【符号の説明】
【００５８】
１は情報表示装置、２は文書選択操作部、３はページ選択操作部、４はメモリ部、５は文書データ読み込み部、６は複数表示状態データ読み書き部、７は文書表示制御部、８は画像処理部、９はディスプレイ制御部、１０は第１のディスプレイ、１１は第２のディスプレイ、１２は主・副切替操作部
【図１】
2007140015.tif 000003
【図２】
2007140015.tif 000004
【図３】
2007140015.tif 000005
【図４】
2007140015.tif 000006
【図５】
2007140015.tif 000007